(57)【要約】【課題】  治療装置の確実な装着を使用者に促すことができるウエアラブル装置および治療システムを提供する。【解決手段】  本発明のウエアラブル装置は、被測定者の血圧を連続測定する血圧センサと、前記血圧の連続測定の開始が指示された場合、前記被測定者が前記血圧の連続測定中に使用する治療装置を装着しているかを確認する確認部と、前記確認部によって前記治療装置の装着が確認された場合、前記血圧センサによる血圧の連続測定を実行する測定制御部と、前記確認部によって前記治療装置の装着が確認できない場合、前記治療装置の装着を促す案内を表示する表示部とを有する。【選択図】図２
2018191787.tif 000002
【特許請求の範囲】
【請求項１】
被測定者の血圧を連続測定する血圧センサと、
前記血圧の連続測定の開始が指示された場合、前記被測定者が前記血圧の連続測定中に使用する治療装置を装着しているかを確認する確認部と、
前記確認部によって前記治療装置の装着が確認された場合、前記血圧センサによる血圧の連続測定を実行する測定制御部と、
前記確認部によって前記治療装置の装着が確認できない場合、前記治療装置の装着を促す案内を表示する表示部と、
を有するウエアラブル装置。
【請求項２】
前記治療装置は、ＣＰＡＰ装置である、
請求項１に記載のウエアラブル装置。
【請求項３】
さらに、前記確認部によって前記治療装置の装着が確認できない場合、当該ウエアラブル装置の本体を振動させる振動部を有する、
請求項１又は２の何れか１項に記載のウエアラブル装置。
【請求項４】
前記確認部は、前記測定制御部が前記被測定者の血圧の連続測定中において所定の条件を満たした場合、前記被測定者が前記治療装置を装着しているかを確認する、
請求項１乃至３の何れか１項に記載のウエアラブル装置。
【請求項５】
前記血圧センサは、ＰＴＴ方式、トノメトリ方式、光学方式、電波方式、または、超音波方式の何れかの方式の血圧センサを含む、
請求項１乃至４の何れか１項に記載のウエアラブル装置。
【請求項６】
表示部と被測定者の血圧を連続測定する血圧センサとを有するウエアラブル装置に、
前記血圧の連続測定の開始が指示された場合、前記被測定者が前記血圧の連続測定中に使用する治療装置を装着しているかを確認する機能と、
前記治療装置の装着が確認された場合、前記血圧センサによる血圧の連続測定を実行する機能と、
前記治療装置の装着が確認できない場合、前記治療装置の装着を促す案内を前記表示部に表示させる機能と、
を実行させるためのプログラム。
【発明の詳細な説明】
【技術分野】
【０００１】
本発明は、被測定者の血圧を測定するウエアラブル装置およびプログラムに関する。
【背景技術】
【０００２】
従来、睡眠時無呼吸症候群（ＳＡＳ）の治療法として、ＣＰＡＰ（持続陽圧呼吸療法）がある。ＣＰＡＰは、鼻に装着したマスクから圧力をかけた空気を気道に送り込み、気道を広げて睡眠時の無呼吸を防止する治療法である（例えば、特許文献１）。また、無呼吸状態が継続すると、血液中の酸素濃度が低くなることなどによって血圧が大きく変動することがある。これは、睡眠時においてＳＡＳが原因で血圧変動が大きくなると、脳心血管イベントを発症するリスクが高くなることを意味する。つまり、ＳＡＳあるいはＳＡＳによる血圧変動を改善することにより、脳心血管イベントを発症するリスクを低くすることができる。
【先行技術文献】
【特許文献】
【０００３】
【特許文献１】特開２０１４−１８０４１１号公報
【発明の概要】
【発明が解決しようとする課題】
【０００４】
しかしながら、ＣＰＡＰによるＳＡＳの改善は、ＣＰＡＰ装置が正しく機能していることが前提となる。例えば、ＣＰＡＰ装置のマスクが正しく装着されていなければ、ＳＡＳの改善は期待できない。ＣＰＡＰ装置は、使用者自身が装着して使用者自身の操作によって稼働させる運用が多い。このため、ＣＰＡＰによるＳＡＳの治療においては、マスクの装着などの作業を使用者自身が確実に実行しなければならないという課題がある。また、ＣＰＡＰ装置は、ＳＡＳの改善などを目的として睡眠時に使用されるものであるため、使用者が睡眠状態となった後に使用者自身にマスクの装着を促すことは難しいという課題もある。
【０００５】
本発明は、上記事情に着目してなされたもので、治療装置の確実な装着を使用者に促すことができるウエアラブル装置およびプログラムを提供することを目的とする。
【課題を解決するための手段】
【０００６】
上記課題を解決するため、本発明の第１の態様に係るウエアラブル装置は、被測定者の血圧を連続測定する血圧センサと、血圧の連続測定の開始が指示された場合、前記被測定者が前記血圧の連続測定中に使用する治療装置を装着しているかを確認する確認部と、前記確認部によって前記治療装置の装着が確認された場合、前記血圧センサによる血圧の連続測定を実行する測定制御部と、前記確認部によって前記治療装置の装着が確認できない場合、前記治療装置の装着を促す案内を表示する表示部とを有するものである。
【０００７】
本発明の第２の態様に係るウエアラブル装置は、前記第１の態様において、前記治療装置がＣＰＡＰ装置であるものである。
【０００８】
本発明の第３の態様に係るウエアラブル装置は、前記第１又は２の何れかの態様において、さらに、前記確認部によって前記治療装置の装着が確認できない場合、当該ウエアラブル装置の本体を振動させる振動部を有するものである。
【０００９】
本発明の第４の態様に係るウエアラブル装置は、前記第１乃至３の何れかの態様において、前記確認部が、前記測定制御部が前記被測定者の血圧の連続測定中において所定の条件を満たした場合、前記被測定者が前記治療装置を装着しているかを確認するものである。
【００１０】
本発明の第５の態様に係るウエアラブル装置は、前記第１乃至４の何れかの態様において、前記血圧センサが、ＰＴＴ方式、トノメトリ方式、光学方式、電波方式、または、超音波方式の何れかの方式の血圧センサを含むものである。
【発明の効果】
【００１１】
本発明の第１の態様によれば、血圧の連続測定を開始する際に治療装置が装着されているかを確認でき、治療装置の確実な装着を被測定者に促すことができる。
【００１２】
本発明の第２の態様によれば、睡眠時無呼吸症候群との関連性が疑われる血圧の連続測定を開始する際に、睡眠時無呼吸症候群を治療するためのＣＰＡＰ装置の確実な装着を被測定者に促すことができ、ＣＰＡＰ装置の効果を検証するための情報となり得る血圧データを確実に取得できる。
【００１３】
本発明の第３の態様によれば、ＣＰＡＰ装置などの治療装置が未装着であることを、表示だけでなく、被測定者が身に着けているウエアラブル装置の本体の振動によって報知することができる。
【００１４】
本発明の第４の態様によれば、血圧の連続測定中においても、ＣＰＡＰ装置などの治療装置が装着されているかを確認でき、血圧の連続測定中に治療装置が外れてしまったことなどを被測定者に報知することが可能となる。
【００１５】
本発明の第５の態様によれば、血圧を連続測定する血圧センサが特定の方式に限定されることなく、多様方式での血圧の連続測定においても治療装置の確実な装着を被測定者に促すことができる。
【図面の簡単な説明】
【００１６】
【図１】図１は、本発明の実施形態に係る治療システムの構成例を概略的に示す図である。
【図２】図２は、ウエアラブル装置の構成例を示すブロック図である。
【図３】図３は、ユーザ端末の構成例を示すブロック図である。
【図４】図４は、サーバの構成例を示すブロック図である。
【図５】図５は、ウエアラブル装置の制御部が実現する機能を説明するためのブロック図である。
【図６】図６は、ウエアラブル装置の動作例を説明するためのフローチャートである。
【図７】図７は、ウエアラブル装置の動作例を説明するためのフローチャートである。
【図８】図８は、ウエアラブル装置が表示する表示画面の遷移例を示す図である。
【図９】図９は、ウエアラブル装置が表示する表示画面の遷移例を示す図である。
【発明を実施するための形態】
【００１７】
以下、図面を参照して本発明に係る実施形態を説明する。  
図１は、実施形態に係る治療システムの構成例を概略的に示す図である。  
治療システム１は、ウエアラブル装置（血圧測定装置）２、ＣＰＡＰ装置（治療装置）３、および、情報処理システム（情報処理装置）４などを有する。情報処理システム４は、ウエアラブル装置２およびＣＰＡＰ装置３と通信可能な装置を含むデータ処理システムである。図１に示す構成例では、情報処理システム４は、ユーザ端末１１およびサーバ１２を有する。情報処理システム４は、ウエアラブル装置２から連続測定された血圧データと種々の要素の測定データとを含む測定データを取得し、取得した測定データを分析する。
【００１８】
図１に示す構成例において、ウエアラブル装置２とＣＰＡＰ装置３とがユーザ端末１１に接続され、ユーザ端末１１がサーバ１２とネットワークを介して通信可能に接続される。ただし、治療システム１および情報処理システム４の構成は、図１に示す構成に限定されるものではない。例えば、後述するサーバ１２が実現する機能（処理）の一部または全部は、ユーザ端末１１が実施するようにしても良い。また、後述するユーザ端末１１の機能、および、サーバ１２の機能の一部または全部は、ウエアラブル装置２が実施するようにしても良い。
【００１９】
すなわち、情報処理システム４としての情報処理装置は、サーバ１２を省略してユーザ端末１１が実現するものであっても良い。この場合、後述する情報処理システム４全体の動作やサーバ１２の動作は、ユーザ端末１１が実現するように構成すれば良い。また、ＣＰＡＰ装置３は、ユーザ端末１１ではなくウエアラブル装置２に接続しても良い。この場合、ＣＰＡＰ装置３は、ウエアラブル装置２を介してユーザ端末１１またはサーバ１２と通信可能とすれば良い。さらに、情報処理システム４の機能は、ウエアラブル装置２が実現するように構成しても良い。この場合、ＣＰＡＰ装置３がウエアラブル装置２に通信接続する構成とすれば、ユーザ端末１１およびサーバ１２が省略可能となり、ウエアラブル装置２とＣＰＡＰ装置３とで本実施形態で説明する治療システムを構成できる。
【００２０】
ウエアラブル装置２は、少なくとも被測定者（ユーザ）の血圧値を連続測定する機能を有する血圧測定装置である。また、ウエアラブル装置２は、ユーザの血圧値を連続測定するだけでなく、活動量、歩数および睡眠状態などの生体データや気温および湿度などの環境データなどを測定する機能も有する。また、ウエアラブル装置２は、メモリが記憶するアプリケーションプログラムによってデータ処理が可能なコンピュータでもある。ウエアラブル装置２は、例えば、ユーザが身に着けるための腕時計型などの構成を有する。
【００２１】
ＣＰＡＰ装置３は、睡眠時無呼吸症候群（ＳＡＳ）の症状があるユーザが睡眠時に装着する治療装置である。ＣＰＡＰ装置３は、ユーザの鼻に装着したマスクから圧力をかけた空気を気道に送り込み、気道を広げて睡眠時の無呼吸を防止する。本実施形態において、ＣＰＡＰ装置３は、ウエアラブル装置２が血圧値を連続測定する期間中（モニタリング中）に装着されるべき治療装置であるものとする。
【００２２】
図１に示す構成例において、ＣＰＡＰ装置３は、機器本体３ａ、マスク３ｂおよびチューブ３ｃを有する。機器本体３ａとマスク３ｂとは、チューブ３ｃを介して接続される。マスク３ｂは、ユーザの鼻に装着される。機器本体３ａは、就寝時において、チューブ３ｃを介して接続されるマスク３ｂがユーザの鼻に装着された状態で維持できる範囲に設置される。機器本体３ａは、圧力をかけた空気をチューブ３ｃへ送り込む。機器本体３ａからの空気は、チューブ３ｃを介してマスク３ｂへ供給される。マスク３ｂは、チューブ３ｃを介して供給される圧力がかけられた空気を鼻からユーザの気道に送り込む。
【００２３】
本実施形態において、ＣＰＡＰ装置３は、ユーザ端末１１と通信接続する機能を有し、動作状況を示す情報をユーザ端末１１へ送信するものとする。例えば、ＣＰＡＰ装置３の機器本体３ａは、マスク３ｂに設けたセンサなどが検知する信号などによりマスク３ｂがユーザに正しく装着されているかを検知する。機器本体３ａは、マスク３ｂに設けた磁界電極によってユーザへの装着状態を検知しても良い。また、機器本体３ａは、例えば、気圧センサおよび流量センサなどが検知する信号に基づいてマスク３ｂの装着状態を検知しても良い。
【００２４】
機器本体３ａは、マスク３ｂの装着状態を示す信号をユーザ端末１１へ供給する。機器本体３ａからの信号によって、ユーザ端末１１、ユーザ端末１１を介して接続されるウエアラブル装置２あるいはサーバ１２は、ＣＰＡＰ装置３がユーザに正しく装着されているかを検知できる。また、ＣＰＡＰ装置３の機器本体３ａおよびウエアラブル装置２は、マスク３ｂに設けた磁界電極の相互センシングによりマスク３ｂのユーザへの装着状態を示す情報を取得するようにしても良い。
【００２５】
ユーザ端末１１は、個々のユーザが利用する情報通信端末である。ユーザ端末１１は、例えば、スマートフォン、携帯電話、タブレットＰＣ、ノートＰＣなどの携帯可能な情報通信端末である。ユーザ端末１１は、少なくてもウエアラブル装置２およびＣＰＡＰ装置３との通信機能を有するものであれば良い。
【００２６】
サーバ１２は、ユーザ端末１１との通信機能を有する。図１に示す構成例では、サーバ１２は、ユーザ端末１１とはネットワークを介して通信するものとする。ただし、サーバ１２は、ユーザ端末１１と通信できるものであれば良く、通信方式や通信形態が特定のものに限定されるものではない。サーバ１２は、ユーザ端末１１を介してウエアラブル装置２およびＣＰＡＰ装置３からのデータを取得する。
【００２７】
図２は、図１に示すウエアラブル装置２の構成例を示すブロック図である。  
ウエアラブル装置２は、制御部２１、通信部２２、記憶部２３、操作部２４、表示部２５、振動部２６、生体センサ２７、環境センサ２８、および、加速度センサ２９などを有する。  
制御部２１は、少なくとも１つのプロセッサ２１ａとメモリ２１ｂとを有する。制御部２１は、プロセッサ２１ａがメモリ２１ｂを用いてプログラムを実行することにより、各種の動作制御およびデータ処理などを実現している。プロセッサ２１ａは、例えば、演算回路を含むＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）などである。メモリ２１ｂは、プロセッサ２１ａが実行するプログラムを記憶する不揮発性のメモリ、および、ワークメモリとして使用するＲＡＭなどのメモリを含む。また、制御部２１は、図示しないクロックを有し、現在の日時を計時する時計機能を有する。
【００２８】
制御部２１において、プロセッサ２１ａは、メモリ２１ｂまたは記憶部２３が記憶するプログラムを実行することにより各部の制御およびデータ処理が実行可能である。すなわち、プロセッサ２１ａは、操作部２４からの操作信号に応じて各部の動作制御を行い、生体センサ２７および環境センサ２８が測定する測定データに対するデータ処理を行う。例えば、制御部２１は、操作部２４による指示に応じて、被測定者の血圧値を連続測定し、連続計測した血圧値のデータ（以下、血圧データ）をユーザ端末１１またはサーバ１２へ送信するモード（モニタリングモード）での動作を実行する。
【００２９】
通信部２２は、ユーザ端末１１と通信するための通信インターフェースである。通信部２２は、ユーザ端末１１へのデータを送信したり、ユーザ端末１１からのデータを受信したりする。通信部２２による通信は、無線通信あるいは有線通信の何れであっても良い。本実施形態において、通信部２２は、近距離無線通信によりユーザ端末１１と通信するものを想定して説明するが、これに限定されず、通信ケーブルを用いて通信するものであっても良いし、ＬＡＮ（Ｌｏｃａｌ  Ａｒｅａ  Ｎｅｔｗｏｒｋ）のようなネットワークを介して通信するものであっても良い。
【００３０】
記憶部２３は、ウエアラブル装置２を制御するためのプログラムのデータ、ウエアラブル装置２の各種機能を設定するための設定データ、生体センサ２７、環境センサ２８、および、加速度センサ２９などが測定した測定データなどを記憶する。また、記憶部２３は、プログラムが実行されるときのワークメモリなどとして用いられるようにしても良い。
【００３１】
操作部２４は、タッチパネルおよび操作ボタン（操作キー）などの操作デバイスにより構成される。操作部２４は、ユーザ（被測定者）による操作を検出し、操作内容を示す操作信号を制御部２１へ出力する。また、操作部２４は、タッチパネルや操作ボタンに限定されず、例えば、ユーザの音声による操作指示を認識する音声認識部、ユーザの生体の一部を認証する生体認証部、ユーザの顔や体を撮影した画像によりユーザの表情やジェスチャーを認識する画像認識部などを備えていても構わない。
【００３２】
表示部２５は、例えば表示画面（例えば、ＬＣＤ（Ｌｉｑｕｉｄ  Ｃｒｙｓｔａｌ  Ｄｉｓｐｌａｙ）またはＥＬ（Ｅｌｅｃｔｒｏｌｕｍｉｎｅｓｃｅｎｃｅ）ディスプレイなど）やインジケータ等を含み、制御部２１からの制御信号に従って情報を表示する。なお、本実施形態において、操作部２４および表示部２５は、タッチパネルを有する表示器により構成されるものとして説明する。
【００３３】
振動部２６は、ウエアラブル装置２の本体を振動させるものである。振動部２６は、例えば、モータとモータの回転軸の回転中心から偏心させた錘とにより構成される。このような構成である場合、振動部２６は、制御部２１からの制御指示に応じてモータを回転させることにより振動を発生させる。
【００３４】
生体センサ２７は、ユーザの生体情報を測定し、生体情報の測定データとしての生体データを出力する。生体センサ２７は、被測定者の体の一部に接触または近接した状態で血圧などの各種の生体情報の値を示す信号を検知するためのセンサを含む。生体センサ２７は、例えば、バンドなどにより被測定者における所定位置に接触または近接するように構成される。制御部２１は、生体センサ２７が出力する各生体データを時刻情報に基づいて設定される測定時刻に紐づけられた生体データとして取得する。生体センサ２７には、少なくとも血圧センサ２７ａを含む。血圧センサ２７ａは、ユーザの血圧値を連続測定して生体データとしての血圧データを得る。
【００３５】
生体センサ２７が取得する生体データとしては、血圧データの他に、脈波データ、脈拍データ、心電データ、心拍データ、体温データなどが想定され、これらの生体データを測定するためのセンサが生体センサ２７として設けられ得る。これらの生体データは、血圧以外の要素の測定データとして出力されるようにしても良い。例えば、脳波データは人間の睡眠状態を示す測定データとすることができる。
【００３６】
血圧センサ２７ａは、連続測定型の血圧センサである。血圧センサ２７ａは、血圧（例えば収縮期血圧および拡張期血圧）の値を連続測定することができる血圧センサである。血圧センサ２７ａは、１拍ごとの血圧を連続測定することができる血圧センサを含み得るが、これに限定されるものではない。
【００３７】
例えば、血圧センサ２７ａは、ＰＴＴ方式、トノメトリ方式、光学方式、電波方式、または、超音波方式などを用いた連続測定型の血圧センサを適用できる。ＰＴＴ方式は、脈波伝播時間（ＰＴＴ；Ｐｕｌｓｅ  Ｔｒａｎｓｍｉｔ  Ｔｉｍｅ）を測定し、測定した脈波伝播時間から血圧値を推定する方式である。トノメトリ方式は、手首の橈骨動脈等の動脈が通る生体部位に圧力センサを直接接触させて、圧力センサが検出する情報を用いて血圧値を測定する方式である。光学方式、電波方式、および、超音波方式は、光、電波または超音波を血管にあててその反射波から血圧値を測定する方式である。
【００３８】
なお、連続測定型の血圧センサは、ユーザの血圧波形を測定することができ、測定した血圧波形に基づいて血圧値を得ることができ、測定した血圧波形の周期に基づいて心拍数を算出することができる。心拍データは、例えば、心拍数を含み得るが、これに限定されない。心拍数は、連続測定型の血圧センサによって測定されるのに限定されず、心拍センサによって測定されてもよい。
【００３９】
環境センサ２８は、ユーザの周囲の環境情報を測定し、測定した環境データを取得するセンサを含む。図２に示す構成例において、環境センサ２８は、気温センサ２８ａを含むものとする。ただし、環境センサ２８は、気温以外にも、温度、湿度、音、光などを測定するセンサを含んでも良い。環境センサ２８は、血圧値の変動に直接あるいは間接的に関連があることが想定される環境の情報（環境データ）を測定するセンサを含むものであれ良い。また、制御部２１は、環境センサ２８が測定する環境データを時刻情報に基づいて設定される測定時刻に紐づけて測定データ（環境データ）として取得する。
【００４０】
加速度センサ２９は、ウエアラブル装置２の本体が受ける加速度を検出する。例えば、加速度センサは、３軸あるいは６軸の加速度データを得る。加速度データは、当該ウエアラブル装置２を装着しているユーザの活動量（姿勢および／または動作）を推定するために用いることができる。
【００４１】
例えば、ユーザが睡眠中であれば、加速度センサ２９が測定する加速度データから推定される被測定者の姿勢の変化は、被測定者の睡眠状態（眠りの深さ）を示すデータとなり得る。この場合、制御部２１は、加速度センサ２９が測定する加速度データに測定時刻を紐づけて睡眠状態の測定データとして出力する。
【００４２】
また、ユーザが起床中であれば、加速度データから推定される動きの変化は、ユーザの活動量（例えば、ウォーキングやランニングなどの運動による活動量）を示すデータとなり得る。この場合、制御部２１は、加速度センサ２９が測定する加速度データに測定時刻を紐づけて活動量の測定データとして出力する。
【００４３】
また、ユーザが起床したことは、加速度センサ２９が検出するユーザの動きによって検出しても良い。ただし、起床は、ユーザの操作に応じて特定しても良い。例えば、ユーザが就寝直前に就寝することを操作部２４によって指示したり、起床した直後に起床したことを操作部２４によって指示したりするようにしても良い。
【００４４】
次に、ユーザ端末１１の構成について説明する。  
図３は、図１に示すユーザ端末１１の構成例を示すブロック図である。  
図３に示す構成例において、ユーザ端末１１は、制御部３１、記憶部３２、通信部３３、表示部３４、操作部３５、および、機器インターフェース（Ｉ／Ｆ）３６などを有する。本実施形態では、ユーザ端末１１は、例えば、スマートフォンやタブレットなどの携帯通信端末であって、後述の処理が実行可能となるようにアプリケーションソフトウエア（プログラム）をインストールしたものとする。
【００４５】
制御部３１は、少なくとも１つのプロセッサ３１ａとメモリ３１ｂとを有する。制御部３１は、プロセッサ３１ａがメモリ３１ｂを用いてプログラムを実行することにより、各種の動作制御およびデータ処理などを行う。プロセッサ３１ａは、例えば、演算回路を含むＣＰＵやＭＰＵなどである。メモリ３１ｂは、プロセッサ３１ａが実行するプログラムを記憶する不揮発性のメモリ、および、ワークメモリとして使用するＲＡＭなどの揮発性メモリを含む。また、制御部３１は、図示しないクロックを有し、現在の日時を計時する時計機能を有する。
【００４６】
記憶部３２は、データメモリである。記憶部３２は、例えば、半導体メモリ（メモリカード、ＳＳＤ（Ｓｏｌｉｄ  Ｓｔａｔｅ  Ｄｒｉｖｅ））、あるいは磁気ディスク（ＨＤ（Ｈａｒｄ  Ｄｉｓｋ））などで構成される。記憶部３２は、制御部３１のプロセッサ３１ａが実行するプログラムを記憶しても良い。また、記憶部３２は、ウエアラブル装置２およびＣＰＡＰ装置３から供給されるデータなどを記憶するようにしても良い。また、記憶部３２は、表示部３４に表示する表示データなども記憶するようにして良い。
【００４７】
通信部３３は、サーバ１２と通信するための通信インターフェースである。通信部３３は、ネットワークを介してデータをサーバ１２へ送信したり、サーバ１２からのデータを受信したりする。通信部３３による通信は、無線通信であっても良いし、有線通信であっても良い。本実施形態において、ネットワークは、例えばインターネットなどを想定して説明するが、これに限定されず、ＬＡＮのような他の種類のネットワークであっても良いし、ＵＳＢケーブルなどの通信ケーブルを用いた１対１の通信であっても良い。
【００４８】
表示部３４は、表示画面（例えば、ＬＣＤまたはＥＬディスプレイなど）を含む。表示部３４は、制御部３１の制御によって表示画面に表示する表示内容を制御される。  
操作部３５は、ユーザ（被測定者）による操作に対応した操作信号を制御部３１へ送信する。操作部３５は、例えば、表示部３４の表示画面上に設けたタッチパネルである。操作部３５は、タッチパネルに限定されず、操作ボタン、キーボードおよびマウスなどであっても良い。また、操作部３５は、ユーザの音声による操作指示を認識する音声認識部、ユーザの生体の一部を認証する生体認証部、あるいは、ユーザの表情やジェスチャーを認識する画像認識部などを備えるものであっても良い。
【００４９】
機器Ｉ／Ｆ３６は、ウエアラブル装置２およびＣＰＡＰ装置３と通信するための通信インターフェースである。機器Ｉ／Ｆ３６は、ウエアラブル装置２およびＣＰＡＰ装置３からのデータを受信したり、ウエアラブル装置２およびＣＰＡＰ装置３へ動作指示を送信したりする。また、機器Ｉ／Ｆ３６は、ウエアラブル装置２用のインターフェースと、ＣＰＡＰ装置３用のインターフェースとを含むものであっても良い。機器Ｉ／Ｆ３６による通信は、無線通信であっても良いし、有線通信であっても良い。
【００５０】
本実施形態において、機器Ｉ／Ｆ３６は、近距離無線通信（例えば、ブルートゥース（登録商標））によりウエアラブル装置２およびＣＰＡＰ装置３と通信する形態を想定して説明するが、これに限定されず、ウエアラブル装置２またはＣＰＡＰ装置３は通信ケーブルを介して通信するためのインターフェースを含むものであっても良い。また、機器Ｉ／Ｆ３６は、通信ケーブルを介してシリアルに通信するものであっても良いし、ＬＡＮのようなネットワークを介して通信するものであっても良い。
【００５１】
なお、本実施形態において、機器Ｉ／Ｆ３６を介して通信可能なＣＰＡＰ装置３は、マスク３ｂの装着状況を示す情報をユーザ端末１１へ供給するものとする。また、ＣＰＡＰ装置３は、気圧センサおよび流量センサなどにより検知するユーザの呼吸状態を示すデータをユーザ端末１１へ供給するようにしても良い。
【００５２】
次に、サーバ１２の構成について説明する。  
図４は、図１に示すサーバ１２の構成例を示すブロック図である。  
サーバ１２は、制御部４１、記憶部４２および通信部４３を有する。本実施形態において、サーバ１２は、汎用のコンピュータ装置に、後述の処理を行わせるようにプログラム（ソフトウェア）をインストールしたものを想定して説明するものとする。
【００５３】
制御部４１は、少なくとも１つのプロセッサ４１ａとメモリ４１ｂとを有する。制御部４１は、プロセッサ４１ａがメモリ４１ｂを用いてプログラムを実行することにより、各種の動作制御およびデータ処理などを行う。プロセッサ４１ａは、例えば、演算回路を含むＣＰＵやＭＰＵなどである。メモリ４１ｂは、プロセッサ４１ａが実行するプログラムを記憶する不揮発性のメモリ、および、ワークメモリとして使用するＲＡＭなどの揮発性メモリを含む。また、制御部４１は、図示しないクロックを有し、現在の日時を計時する時計機能を有する。
【００５４】
記憶部４２は、データメモリである。記憶部４２は、例えば、磁気ディスク（ＨＤ）、半導体メモリ（メモリカード、ＳＳＤ）、光ディスク、光磁気ディスクなどで構成される。記憶部４２は、ユーザ端末１１から取得する各種の測定データを記憶する。また、記憶部４２は、制御部４１のプロセッサ４１ａが実行するプログラムを記憶しても良い。
【００５５】
通信部４３は、ユーザ端末１１と通信するための通信インターフェースである。通信部４３は、ネットワークを介してデータをユーザ端末１１へ送信したり、ユーザ端末１１からのデータを受信したりする。通信部４３による通信は、無線通信であっても良いし、有線通信であっても良い。本実施形態において、通信部４３は、ネットワークを介してユーザ端末１１と通信する構成を想定して説明する。ただし、通信部４３による通信は、特定の通信方式に限定されるものではない。
【００５６】
次に、ウエアラブル装置２の制御部２１が実現する機能について説明する。  
図５は、ウエアラブル装置２の制御部２１が有する機能を示すブロック図である。  
ウエアラブル装置２の制御部２１は、プロセッサ２１ａがメモリ２１ｂに記憶したプログラムを実行することにより種々の処理機能を実現する。ウエアラブル装置２の制御部２１は、主な機能として、図５に示すように、操作検知部５１、表示制御部５２、振動制御部５３、装着確認部５４、測定制御部５５、および、起床判定部５６などを有する。
【００５７】
操作検知部５１は、ユーザ（被測定者）が操作部３５を用いて入力した操作指示、あるいは、ユーザが特定の動作によって入力する操作指示を検知する機能である。例えば、制御部２１は、タッチパネルとしての操作部２４を用いて入力された情報を検知する。また、制御部２１は、加速度センサ２９が測定する加速度データによって、ユーザによる特定の動作を検出し、検出した特定の動作に対応する操作指示を検知する。
【００５８】
表示制御部５２は、表示部２５に表示する表示内容を制御する機能である。制御部２１は、表示制御部５２により表示部２５に後述する表示画面を表示させる。また、制御部２１は、表示部２５としてディスプレイ装置のオンオフも制御する。
【００５９】
振動制御部５３は、振動部２６に発生させる振動を制御する機能である。制御部２１は、振動制御部５３により振動部２６を駆動させてウエアラブル装置２の本体を振動させる振動パターンおよび振動の強さなどを制御する。
【００６０】
装着確認部５４は、治療装置としてのＣＰＡＰ装置３の装着状態を確認する機能である。制御部２１は、装着確認部５４として、例えば、ユーザ端末１１を介してＣＰＡＰ装置３から装着状態を示す情報を取得し、取得した情報によってＣＰＡＰ装置３の装着状態を確認する。また、装着確認部５４は、ＣＰＡＰ装置３のマスク３ｂに電極を設け、磁界電極の相互センシングによりＣＰＡＰ装置３がユーザに装着されていることを確認するようにしても良い。また、装着確認部５４は、連続測定した血圧値からＣＰＡＰ装置３の装着状態を推定するようにしても良い。
【００６１】
測定制御部５５は、血圧センサ２７ａを用いて血圧値の連続測定を制御する機能である。制御部２１は、測定制御部５５として、血圧センサ２７ａが連続的（例えば１拍ごと）に測定する血圧値を示す血圧データを取得して記憶部２３に記憶したり、ユーザ端末１１あるいはサーバ１２へ転送したりする。
【００６２】
起床判定部５６は、ユーザが起床したことを検知（判定）する機能である。起床判定部５６としては、例えば、加速度センサ２９が測定する加速度データから特定される被測定者の動きによって被測定者が起床したことを判定（検知）する。また、起床判定部５６は、被測定者による操作によって起床を検知するものとしても良い。
【００６３】
次に、上記のように構成される治療システムの動作について説明する。  
ユーザ（被測定者）は、ウエアラブル装置２を操作することにより就寝時における血圧値の連続測定（モニタリング）を指示し、ＣＰＡＰ装置３を装着して就寝する。ウエアラブル装置２は、モニタリングの指示に応じてＣＰＡＰ装置３の装着状態を確認する。ＣＰＡＰ装置３が正しく装着されていることが確認できると、ウエアラブル装置２は、血圧値の連続測定を開始する。また、ＣＰＡＰ装置３が正しく装着されていることが確認できない場合、ウエアラブル装置２は、ユーザにＣＰＡＰ装置３の確認を促す。これにより、ＣＰＡＰ装置３が未装着の状態で、就寝中のモニタリングが実施されることを防ぐことができる。
【００６４】
また、ウエアラブル装置２は、就寝中（モニタリング中）においても、ＣＰＡＰ装置３の装着状態を確認する。就寝中にＣＰＡＰ装置３の未装着を検出した場合（ＣＰＡＰ装置３が正しく装着されていることが確認できない場合）、ウエアラブル装置２は、ユーザが睡眠中であっても気が付きやすいようなアラートを行う。これにより、就寝中にＣＰＡＰ装置３が未装着の状態となった場合、ユーザに報知してＣＰＡＰ装置３の装着を促すことが可能となる。
【００６５】
図６および図７は、本実施形態に係るウエアラブル装置２の動作例を説明するためのフローチャートである。  
ユーザ（被測定者）は、ウエアラブル装置２を操作することにより就寝時における血圧値の連続測定（モニタリング）を指示する。ウエアラブル装置２の制御部２１は、操作検知部５１の機能により、各種の操作指示を受け付ける。
【００６６】
モニタリングが指示されたことを検知すると（Ｓ１１、ＹＥＳ）、制御部２１は、装着確認部５４の機能によって、ＣＰＡＰ装置３の装着状態を確認する（Ｓ１２）。例えば、制御部２１は、ＣＰＡＰ装置３が通信接続されているユーザ端末１１に対してＣＰＡＰ装置３の装着状態を問い合せる。これに対して、ユーザ端末１１は、ＣＰＡＰ装置３から取得する装着状態を示す信号をウエアラブル装置２へ通知する。この通知結果によって、制御部２１は、ＣＰＡＰ装置３の装着状態を確認する。
【００６７】
ここで、ＣＰＡＰ装置３の装着状態を確認する方法は、特定の方法に限定されるものではない。例えば、ウエアラブル装置２の制御部２１は、磁界電極の相互センシングによりＣＰＡＰ装置３のマスク３ｂがユーザに装着されていることを検知するようにしても良い。また、ユーザ端末１１は、ＣＰＡＰ装置３の気圧センサおよび流量センサなどから取得する情報に基づいてユーザによるマスク３ｂの装着状態を判定し、その判定結果をウエアラブル装置２へ通知するようにしても良い。
【００６８】
ＣＰＡＰ装置３が未装着であると判定した場合（Ｓ１２、ＹＥＳ）、制御部２１は、振動制御部５３の機能によって振動部２６を振動させてウエアラブル装置２の本体を振動させ（Ｓ１４）、表示制御部５２の機能によってＣＰＡＰ装置３の装着を確認する旨の注意喚起を表示部２５に表示する（Ｓ１５）。装着を確認する旨の注意喚起を表示した後、制御部２１は、ユーザによるＣＰＡＰ装置３の装着を確認したことを示す指示を受け付ける（Ｓ１６）。
【００６９】
ＣＰＡＰ装置３の装着を確認する旨の注意喚起が表示されると、ユーザは、ＣＰＡＰ装置３の装着を再確認し、確認できたならば装着完了したことを指示する。制御部２１は、操作検知部５１の機能によってユーザからの装着完了したことを示す指示を取得する。ユーザによる装着完了の確認の指示を受けると（Ｓ１６、ＹＥＳ）、制御部２１は、振動制御部５３の機能によって振動部２６の振動を停止させて（Ｓ１７）、Ｓ１２へ戻る。
【００７０】
また、ＣＰＡＰ装置３をユーザが装着していることを確認すると（Ｓ１２、ＹＥＳ）、制御部２１は、表示制御部５２の機能によって、ＣＰＡＰ装置３の装着が確認できた旨を表示部２５に表示する（Ｓ１８）。装着が確認できた旨を表示部２５に表示した後、制御部２１は、測定制御部５５の機能によって、血圧センサ２７ａを用いたユーザの血圧値の連続測定を開始する（Ｓ１９）。
【００７１】
ユーザの血圧値の連続測定を開始した後、制御部２１は、測定制御部５５の機能によって、血圧センサ２７ａを用いた血圧値の連続測定を実行する（Ｓ２０）。血圧の連続測定において、制御部２１は、測定したユーザの血圧値（血圧データ）を記憶部２３に蓄積する。制御部２１は、記憶部２３に蓄積した血圧データを測定終了時にユーザ端末１１又はユーザ端末１１を介してサーバ１２へ転送するものとする。
【００７２】
なお、制御部２１は、記憶部２３に蓄積した血圧データを所定の周期でユーザ端末１１又はユーザ端末１１を介してサーバ１２へ転送するようにして良い。また、制御部２１は、血圧データを記憶部２３に保存することなく、ユーザ端末１１又はユーザ端末１１を介してサーバ１２へ転送するようにしても良い。血圧データをユーザ端末１１又はサーバ１２へ転送するタイミングは、ウエアラブル装置２内の記憶部２３の記憶容量、血圧データに対するサーバ１２又はユーザ端末１１によるデータ処理のタイミング、あるいは、通信環境などに応じて適宜設定されるものである。
【００７３】
血圧の連続測定の実行中において、制御部２１は、ＣＰＡＰ装置３の装着確認の要否を判断する（Ｓ２１）。例えば、制御部２１は、所定の周期でＣＰＡＰ装置３の装着確認を行うようにしても良い。この場合、制御部２１は、所定の周期ごとに、ＣＰＡＰ装置３の装着確認を行う。
【００７４】
また、制御部２１は、測定した血圧データに応じてＣＰＡＰ装置３の装着確認を行うようにしても良い。例えば、制御部２１は、基準値を超える血圧値が測定された場合にＣＰＡＰ装置３の装着確認を行うようにしても良い。また、制御部２１は、基準値を超える血圧値の変動が測定された場合にＣＰＡＰ装置３の装着確認を行うようにしても良い。
【００７５】
また、制御部２１は、血圧データ以外の測定データに応じてＣＰＡＰ装置３の装着確認を行うようにしても良い。例えば、制御部２１は、加速度センサ２９が測定する被測定者の動き（活動量または姿勢変化）などに応じてＣＰＡＰ装置３の装着確認を行うようにしても良い。また、制御部２１は、加速度センサ２９が測定する被測定者の動きと血圧データとの組み合わせによってＣＰＡＰ装置３の装着確認を行うか否かを判断するようにしても良い。
【００７６】
ＣＰＡＰ装置３の装着確認を行うと判断した場合（Ｓ２１、ＹＥＳ）、制御部２１は、装着確認部５４の機能によって、ＣＰＡＰ装置３の装着確認を実行する（Ｓ２２）。制御部２１は、Ｓ１２と同様にＣＰＡＰ装置３の装着確認を実行できる。ただし、Ｓ２２の処理は血圧の連続測定を実行中の処理であるため、制御部２１は、測定した血圧データを解析してＣＰＡＰ装置３の装着状態を推定するようにしても良い。
【００７７】
血圧データの解析による推定としては、例えば、血圧データから抽出される急激な血圧変動（血圧サージ）の発生状況からＣＰＡＰ装置３の装着状態を推定しても良い。また、血圧データの解析によるＣＰＡＰ装置３の装着状態の推定は、サーバ１２あるいはユーザ端末１１が実施し、その結果をウエアラブル装置２が取得するようにしても良い。この場合、制御部２１は、連続測定中の血圧データを適宜サーバ１２あるいはユーザ端末１１へ転送し、その転送した血圧データによる推定結果を取得するようにすれば良い。
【００７８】
連続測定中（就寝中）にＣＰＡＰ装置３が未装着であると判定した場合（Ｓ２３、ＹＥＳ）、制御部２１は、振動制御部５３の機能によって振動部２６を駆動させてウエアラブル装置２の本体を振動させるとともに（Ｓ２４）、表示制御部５２の機能によってＣＰＡＰ装置３の装着を確認する旨のアラートを表示部２５に表示する（Ｓ２５）。Ｓ２４およびＳ２５の処理は、就寝中の被測定者を起こすようなアラートであって良い。これにより、例えば、就寝中にマスク３ｂが外れた場合であっても、使用者に報知してＣＰＡＰ装置３の再装着を促すことができる。
【００７９】
装着を確認する旨のアラートを表示した後、制御部２１は、被測定者によるＣＰＡＰ装置３の装着を確認した旨の指示を受け付ける（Ｓ２６）。例えば、ＣＰＡＰ装置３の装着を確認する旨のアラートに気が付いた被測定者は、ＣＰＡＰ装置３の装着を再確認し、確認後に装着の確認が完了したことを指示する。制御部２１は、操作検知部５１の機能によってユーザからの確認の指示を検知する。被測定者による確認の指示を検知すると（Ｓ２６、ＹＥＳ）、制御部２１は、振動制御部５３の機能によって振動部２６の振動を停止させて（Ｓ２７）、Ｓ２１へ戻る。
【００８０】
また、ＣＰＡＰ装置３の装着が確認できた場合（Ｓ２３、ＮＯ）、あるいは、ＣＰＡＰ装置３の装着確認が不要であると判断した場合（Ｓ２１、ＮＯ）、制御部２１は、測定制御部５５の機能によって血圧センサ２７ａを用いた血圧値の連続測定を継続する。血圧値の連続測定中において、制御部２１は、起床判定部５６の機能によって、被測定者の起床を検知する。例えば、制御部２１は、加速度センサ２９が検知する被測定者の動きによって被測定者が起床したことを検知する。また、制御部２１は、被測定者による操作に応じて起床を検知したり、血圧測定の終了の指示を受け付けたりするようにしても良い。
【００８１】
被測定者の起床が検知されていない場合、あるいは、血圧測定の終了が指示されていない場合（Ｓ２８、ＮＯ）、制御部２１は、Ｓ２０へ戻り、被測定者に対する血圧の連続測定を継続して実施する。  
被測定者の起床を検知した場合、あるいは、血圧測定の終了が指示された場合（Ｓ２８、ＹＥＳ）、制御部２１は、測定結果をユーザ端末１１又はサーバ１２へ転送し（Ｓ２９）、モニタリングを終了する。
【００８２】
次に、上述した動作に応じてウエアラブル装置２の表示部２５に表示される表示画面の例について説明する。  
図８は、ウエアラブル装置２がモニタリングを実行する場合に表示部２５が表示する表示画面の遷移例を示す図である。  
図８に示す表示画面６１は、血圧の連続測定の動作モード（スクリーニング）を指示する操作画面の表示例である。表示画面６１を表示した状態において、ユーザが操作部２４としてのタッチパネルにより「モニタリング」をタッチすると、制御部２１は、表示画面６２を表示部２５に表示させる。
【００８３】
表示画面６２は、ＣＰＡＰ装置３の装着確認を実行することをユーザに報知するための画面である。すなわち、制御部２１は、モニタリングが指示されると、ＣＰＡＰ装置３の装着確認を実行し、その装着確認の実行中において表示画面６２を表示部２５に表示させる。ＣＰＡＰ装置３の装着確認が終了すると、制御部２１は、装着確認の結果に応じて表示画面６３または表示画面６５の何れかを表示部２５に表示させる。
【００８４】
表示画面６３は、ＣＰＡＰ装置３の装着が確認できたことをユーザに報知するための画面である。すなわち、制御部２１は、ＣＰＡＰ装置３の装着が確認できた場合、装着が確認できたことを示す表示画面６３を表示部２５に表示させる。表示画面６３を表示した後、制御部２１は、血圧の連続測定を実行していることを示す表示画面６４を表示部２５に表示させる。例えば、制御部２１は、ＣＰＡＰ装置３の装着が確認できた場合、表示部２５に表示画面６３を表示するとともに、血圧の連続測定を開始する。表示画面６３を表示した状態において、制御部２１は、ユーザの操作（あるいは動き）に応じて表示部２５が表示する画面を表示画面６３から表示画面６４に遷移させる。
【００８５】
また、表示画面６５は、ＣＰＡＰ装置３が未装着である場合にユーザにＣＰＡＰ装置３を装着する旨の注意喚起を行うための案内画面である。すなわち、制御部２１は、ＣＰＡＰ装置３の装着が確認できなかった場合、ＣＰＡＰ装置３の装着を確認する旨をユーザに注意喚起する表示画面６５を表示部２５に表示させる。
【００８６】
表示画面６５を表示した後、制御部２１は、ユーザがＣＰＡＰ装置３の装着を確認したことを指示するための操作画面としての表示画面６６を表示部２５に表示させる。制御部２１は、表示画面６６においてＣＰＡＰ装置３の装着を確認したことが指示された場合、表示部２５に表示画面６２を表示させ、再度ＣＰＡＰ装置３の装着確認を実行する。
【００８７】
図９は、ウエアラブル装置２がモニタリングの実行中に表示部２５が表示する表示画面の遷移例を示す図である。  
図９に示す表示画面７１は、血圧の連続測定（モニタリング）を実行中であることを示す案内画面の表示例である。制御部２１は、測定開始などの特定のイベントが発生したときに、表示画面７１を所定時間表示させて所定時間表示した後に消灯させる。これにより、ウエアラブル装置２は、就寝時に表示画面７１を表示することでユーザの睡眠を妨げたり、バッテリの消費を抑えたりすることができる。
【００８８】
表示画面７２は、表示画面６５と同様に、ＣＰＡＰ装置３の未装着を検知した場合に表示する画面である。すなわち、制御部２１は、モニタリング中にＣＰＡＰ装置３の未装着を検知した場合、表示画面７２を表示部２５に表示させて、ＣＰＡＰ装置３の装着を確認する旨のアラートを行う。表示画面７２を表示した後、制御部２１は、ユーザがＣＰＡＰ装置３の装着を確認したことを指示するための操作画面としての表示画面７３を表示部２５に表示させる。制御部２１は、ＣＰＡＰ装置３の装着を確認したことが指示された場合、表示部２５に表示画面７４を表示させ、ＣＰＡＰ装置３の装着確認を再度実行する。
【００８９】
ユーザによる確認完了の指示後にＣＰＡＰ装置３の装着確認を実行する場合、制御部２１は、装着確認を実行中であることを示す表示画面７４を表示部２５に表示させる。表示画面７４は、表示画面６５と同様な表示内容であっても良い。表示画面７４を表示した状態でのＣＰＡＰ装置３の装着が確認できた場合、制御部２１は、ＣＰＡＰ装置３の装着が確認できたことを示す表示画面７５を表示部２５に表示させる。表示画面７５を表示した後、制御部２１は、血圧の連続測定を継続する。制御部２１は、表示画面７５を所定時間経過後に消灯するようにして良い。また、ＣＰＡＰ装置３の装着が確認できない場合、制御部２１は、再び表示画面７２を表示部２５に表示させ、再度の装着確認をユーザに促す。
【００９０】
上記のように、本実施形態のウエアラブル装置では、血圧の連続測定の開始が指示された場合、被測定者がＣＰＡＰ装置を装着しているかを確認し、ＣＰＡＰ装置の装着が確認された場合に血圧の連続測定を実行し、ＣＰＡＰ装置の装着が確認できない場合にはＣＰＡＰ装置の装着を促すアラートを出すようにしたものである。これにより、本実施形態のウエアラブル装置によれば、血圧の連続測定を開始する際にＣＰＡＰ装置が装着されているかを確認でき、ＣＰＡＰ装置が確実に装着されている状態での血圧の連続測定を実現できる。
【００９１】
さらに、本実施形態のウエアラブル装置は、血圧の連続測定中においてもＣＰＡＰ装置が装着されているかを確認し、測定中にＣＰＡＰ装置の未装着を検知した場合にはＣＰＡＰ装置の装着を促すアラートを出す。これにより、本実施形態のウエアラブル装置によれば、血圧の連続測定中にＣＰＡＰ装置が外れてしまったことなどを被測定者に報知することも可能となる。
【００９２】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００９３】
上記実施形態の一部または全部は、以下の付記のようにも記載され得るが、以下に限定されるものではない。  
（付記１）
ウエアラブル装置であって、
メモリと、
前記メモリと協働する少なくとも１つのプロセッサと、を有し、
前記プロセッサは、
被測定者の血圧を連続測定する血圧センサを用いた血圧の連続測定の開始指示を検知し、
前記血圧の連続測定の開始指示を検知した場合、前記被測定者が前記血圧の連続測定中に使用する治療装置を装着しているかを確認し、
前記治療装置の装着が確認された場合、前記血圧の連続測定を実行し、
前記治療装置の装着が確認できない場合、前記治療装置の装着を促す案内を表示するように構成される、ウエアラブル装置。
【符号の説明】
【００９４】
２…ウエアラブル装置、３…ＣＰＡＰ装置（治療装置）、４…情報処理システム（情報処理装置）、１１…ユーザ端末、１２…サーバ、２１…制御部、２２…通信部、２３…記憶部、２４…操作部、２５…表示部、２７ａ…血圧センサ、２９…加速度センサ、５１…操作検知部、５２…表示制御部、５３…振動制御部、５４…装着確認部、５５…測定制御部、５６…起床判定部。
【図１】
2018191787.tif 000003
【図２】
2018191787.tif 000004
【図３】
2018191787.tif 000005
【図４】
2018191787.tif 000006
【図５】
2018191787.tif 000007
【図６】
2018191787.tif 000008
【図７】
2018191787.tif 000009
【図８】
2018191787.tif 000010
【図９】
2018191787.tif 000011